(57)【特許請求の範囲】
【請求項１】
放送信号を受信する受信部と、
該受信部により受信された該放送信号を復調する復調部と、
映像信号を入力する映像入力部と、
音声信号を入力する音声入力部と、
該映像入力部から入力された映像信号及び該音声入力部から入力された音声信号を符号化する符号化部と、
該符号化部により符号化された該映像信号及び音声信号を多重して出力する出力部と、
該復調部の出力信号と該出力部の出力信号を記録する記録部と、
該記録部に記録された該復調部の出力信号と該記録部に記録された該出力部の出力信号とを再生する再生部と、を有する情報処理装置であって、
該映像入力部から入力された映像信号又は該音声入力部から入力された音声信号から特徴的な部分を示すデータを抽出し、該抽出された特徴的な部分を示すデータと該復調部の出力信号との関連性を示す管理ファイルデータを該記録部に記録し、
該管理ファイルデータに基づいて該記録部に記録された該出力部の出力信号の特徴的な部分が再生されると、該管理ファイルデータにより該特徴的な部分に関連付けられた該記録部に記録された該復調部の出力信号を再生することを特徴とする情報処理装置。
【請求項２】
請求項１記載の情報処理装置において、
前記特徴的な部分を示すデータは、前記映像入力部又は前記音声入力部により入力されたデータの所定時間に対する変動に基づいて抽出されることを特徴とする情報処理装置。
【請求項３】
請求項１記載の情報処理装置において、
前記管理ファイルデータを出力する管理ファイルデータ出力部を備えることを特徴とする情報処理装置。
【請求項４】
請求項１記載の情報処理装置において、
前記前記特徴的な部分を示すデータは、前記符号化部において映像信号と音声信号を符号化する際の処理情報を用いて抽出されることを特徴とする情報処理装置。
【請求項５】
請求項１〜４いずれかに記載の情報処理装置において
前記管理ファイルデータの記録を行うか否かを選択することを特徴とする情報処理装置。
【請求項６】
請求項１〜５いずれかに記載の情報処理装置において、
前記映像入力部はカメラで構成され、前記音声入力部はマイクで構成されたことを特徴
とする情報処理装置。
【請求項７】
映像信号を入力する第1及び第２の映像入力部と、
音声信号を入力する第1及び第２の音声入力部と、
該映像信号及び該音声信号を記録する記録部と、
該記録部により記録された該映像信号及び該音声信号を出力する出力部と、を有する情報処理装置であって、
該第１の映像入力部からの映像信号又は該第１の音声入力部からの音声信号から特徴的な部分を示すデータを抽出し、該抽出された特徴的な部分を示すデータと該第２の映像入力部及び該第２の音声入力部からの映像信号及び音声信号とを関連付ける管理データを作成し、
該管理データに基づいて該記録部に記録された該第１の映像入力部からの映像信号又は該第１の音声入力部からの音声信号から抽出された特徴的な部分が再生されると、該管理データにより該特徴的な部分に関連付けられた該記録部に記録された該該第２の映像入力部及び該第２の音声入力部からの映像信号及び音声信号を出力することを特徴とする情報処理装置。
【請求項８】
放送信号を受信するステップと、
受信した該放送信号を復調するステップと、
映像信号を入力するステップと、
音声信号を入力するステップと、
入力したた映像信号及び入力した音声信号を符号化するステップと、
復調した放送信号と符号化した映像信号及び音声信号を記録するステップと、
記録した放送信号と符号化して記録した映像信号及び音声信号とを再生するステップと、を有する情報処理方法であって、
入力した映像信号又は入力した音声信号から特徴的な部分を示すデータを抽出し、該抽出された特徴的な部分を示すデータと該復調した放送信号との関連性を示す管理ファイルデータを記録し、
該管理ファイルデータに基づいて符号化して記録した映像信号又は音声信号の特徴的な部分が再生されると、該管理ファイルデータにより該特徴的な部分に関連付けられた記録した放送信号を再生することを特徴とする情報処理方法。
【発明の詳細な説明】
【技術分野】
【０００１】
本発明は、撮像機能を有した情報処理装置に関するものである。
【背景技術】
【０００２】
近年、放送衛星を利用したＢＳデジタル放送や地上波を使ったデジタル放送サービスが始まっている。デジタル放送サービスの特徴を利用した従来例としては、例えば〔特許文献１〕のような方法が開示されている。特許文献１には、放送される映像と外部から入力される映像とを同時表示する技術が開示されている。
【０００３】
【特許文献１】特開２００１−２５７９５６号公報
【発明の開示】
【発明が解決しようとする課題】
【０００４】
しかしながら、上記特許文献1においては、放送映像と外部入力映像（家族等の映像）とを同時表示する技術が開示されているものの、単に同一画面上に両者を表示することに言及しているのみであり、どのように両者を関連付けて処理するかといったことに関しては詳細な開示がない。
【０００５】
具体的には、放送される番組に付随的に送られるジャンル等の番組情報と予め記憶されていた家族の画像情報とを関連付けることしか考えられておらず、例えば、放送される番組映像そのものとカメラからの入力画像との関連付けに関しては何ら着想されていなかった。そのため、例えば、番組映像とカメラからの入力画像との連動性を活かした使い勝手のよいサービスや機能を提供することが困難であった。
【０００６】
そこで、上記課題を鑑み、本発明においては、映像・音声情報を有効に利用することでユーザの使い勝手の向上を図れる情報処理装置を提供することを目的とする。
【課題を解決するための手段】
【０００７】
上記課題を解決するために、本発明の一実施の態様は、例えば特許請求の範囲に記載された技術的思想を用いる。
【発明の効果】
【００１１】
本発明によれば、映像及び音声情報を有効に利用することで、ユーザの使い勝手の向上を図れる情報処理装置を提供することができる。
【発明を実施するための最良の形態】
【００１２】
以下、図面を用いて本発明の実施例を説明する。なお、以下において、同一符号・記号は同一の構成を意味するものであるとする。
【実施例１】
【００１３】
図１は、本実施例におけるデジタル放送を受信可能な記録再生装置の構成例を示す図である。尚、以下の説明においては、デジタル放送を受信できる受信記録再生装置１０００を想定する。しかし、これに限定されるものではなく、例えば、放送形態ではなく、インターネット等のネットワークを経由して映像あるいは音声コンテンツを取得可能な情報処理装置であってもよい。また、本実施例においては、ＭＰＥＧ（Moving Picture Experts Group）方式によって符号化され多重化された信号を処理する場合について説明するが、特にＭＰＥＧ方式の信号に限定されるものではない。
【００１４】
放送受信アンテナ１０は、放送局（図示しない）から送出される電波を受信するものである。チューナ２０は、前記アンテナ１０から供給される信号から所望の信号を選局し、復調、誤り訂正等を行ってトランスポートストリームを再生する。本実施例で示すトランスポートストリームは、例えば図２に示すような１８８バイトのパケットを複数並べて構成されるトランスポートストリームである。パケットとパケットの間には無効なデータが含まれる場合もある。再生されたトランスポートストリームは、デマルチプレクサ３０に供給され、指定された番組の符号化映像データ、符号化音声データ、及びその他のデータが抽出される。
【００１５】
リアルタイムに視聴する場合は、抽出された符号化映像データと符号化音声データはデコーダ４０に供給され、復号されて映像信号と音声信号が出力される。復号された映像信号はグラフィック処理部５０に供給され、状況によってグラフィック画面が重畳されて出力される。グラフィック処理部５０の出力映像信号とデコーダ４０の出力音声信号は映像出力部６０と音声出力部７０といったデータ出力部から出力され、図示しない表示再生装置、たとえば、テレビで再生される。これらの処理は入力部１１０を経由して入力される図示しないリモコン等からの指示を受けて動作する制御部１２０によって制御される。
【００１６】
一方、図示しないリモコン等からの指示によって指定された番組をＨＤＤ１００に記録する場合は、前述のデマルチプレクサ３０によって指定された番組に関連したパケットだけを抽出すると共に再生時に参照する為の新たに作成しあるいは予め用意されたパケットを多重して出力する。
【００１７】
記録するために指定した番組のトランスポートストリームをデマルチプレクサ３０によって処理した場合の、入力及び出力トランスポートストリームの一例を図３に示す。
【００１８】
図３では、映像データＶ１、音声データＡ１及びＰ1で示した時間情報ＰＣＲ（Program Clock Reference）から構成された番組を記録するものとする。また、図３には示していないが、番組の構成要素としてデータ放送がある場合にはこのデータ放送のパケットも記録する。デマルチプレクサ３０は制御部１２０からの制御に従って再生時に参照するパケットであるＰＡＴ（Program Association Table）、ＰＭＴ（Program Map Table）等の情報パケットを一旦削除し、映像データＶ１と音声データＡ１、及びＰ１で示した時間情報ＰＣＲから構成された番組だけが多重されたストリームに適したＰＡＴとＰＭＴを作成し多重する。尚、ＰＡＴ、ＰＭＴ等は削除してから多重するのではなく、図示しないメモリ上で必要なデータの書換え処理を行っても良い。
【００１９】
また、記録する番組のタイトル等の番組情報を抽出し、抽出した番組情報に基づいてＳＩＴ（Selection Information Table）を作成して多重する。Ｖ２、Ａ２、Ｖ３、Ａ３は記録しない番組の映像及び音声データ等のパケットであり、これらは再生時には不要なので削除する。これにより、図３（ａ）の入力トランスポートストリームに対して図３(ｂ) のような出力トランスポートストリームが得られる。
【００２０】
なお、上記以外に再生時に参照したい情報パケットがある場合は、該情報パケットも抽出し出力しても良い。
【００２１】
デマルチプレクサ３０の出力トランスポートストリームは記録再生制御部８０に入力される。記録再生制御部８０は、メモリ９０を用いてトランスポートストリームの処理を行い、入力されたトランスポートストリームをＨＤＤ１００に記録する。
【００２２】
記録再生制御部８０の構成の一例を図４に示す。入力されたトランスポートストリームはストリーム入出力処理部１０１０を経由してタイムスタンプ処理部１０２０に入力される。タイムスタンプ処理部１０２０は、入力ストリームの各パケットに、例えば図５に示すように、入力された時刻を示すタイムスタンプデータを付加する。
【００２３】
タイムスタンプデータを付加するのは、録画したデータをＨＤＤ１００から再生してトランスポートストリームとして出力する際に、入力時点のタイミングを正確に再現する為である。これによって、データとして記録したトランスポートストリームを再生し、出力してデコーダ４０でデコードする際に参照する時間情報を再現できる。
【００２４】
タイムスタンプが付加されたトランスポートストリームデータは、メモリコントローラ１１００を経由し、一旦メモリ９０に格納される。
【００２５】
次に、タイムスタンプが付加されたトランスポートストリームデータは、メモリコントローラ１１００を経由して読み出され、暗号処理部１０３０により暗号化される。トランスポートストリームデータを暗号化するのは著作権保護の為である。暗号化されたトランスポートストリームデータは、再度メモリコントローラ１１００を経由してメモリ９０に格納される。格納された暗号化トランスポートストリームデータは、ＨＤＤ１００との接続インターフェースであるＡＴＡ（AT Attachment）１０４０を介してＨＤＤ１００に記録される。
【００２６】
再生時は、ＨＤＤ１００に記録されているトランスポートストリームデータがＡＴＡインターフェース１０４０を介して読み出され、メモリコントローラ１１００を経由して一旦メモリ９０に格納される。
【００２７】
メモリ９０に格納されたトランスポートストリームデータは、メモリコントローラ１１００を経由して暗号処理手段１０３０に入力され、暗号の解除処理を行ってメモリコントローラ１１００を経由して再度メモリ９０に格納される。
【００２８】
暗号を解除してメモリ９０に格納されたトランスポートストリームデータは、メモリコントローラ１１００を経由してタイムスタンプ処理手段１０２０に入力され、タイムスタンプが除去されたデータが、付加されていたタイムスタンプの示す時刻に、ストリーム入出力処理手段１０１０を経由して出力される。
【００２９】
これによって、ＨＤＤ１００に記録されたトランスポートストリームデータを再生して入力時のタイミングを再現したトランスポートストリームを出力することができる。これらの動作制御は、図1に示した制御部１２０から行う。
【００３０】
上記で説明したような動作で記録され再生されたトランスポートストリームは、デマルチプレクサ３０に入力され、前述の説明と同様にして映像と音声が再生される。
【００３１】
また、状況に応じ、トランスポートストリームに多重されている情報パケットを参照し、グラフィック画面が重畳され表示される。
【００３２】
上記で説明した動作は、図示しないリモコンなどの指示装置から入力手段１１０を経由して入力される指示と、図示しないメモリ等に予め記憶されたプログラムに従って動作する制御部１２０によってＰＣＩ（Peripheral Components Interconnect）バスなどのバス１６０を介して制御される。また、図１においてはチューナ２０は専用のバス１６１で制御部１２０によって制御される構成を示している。
【００３３】
次に、図１に示したカメラ１３０の出力映像信号とマイク１４０の出力音声信号を再生しあるいは記録する動作について説明する。尚、以下の説明においては、カメラ１３０の出力映像信号とマイク１４０の出力音声信号をあわせて、「撮影データ」と記載することにする。
【００３４】
カメラ１３０とマイク１４０から得られた撮影データは符号化部１５０に入力される。符号化部１５０は入力された撮影データを符号化し、映像と音声を多重して出力する。前記符号化部１５０による符号化処理によって、例えばチューナ２０によって再生されるのと同様な、図２、図３に示したＭＰＥＧ方式のトランスポートストリームが得られる。符号化部１５０の出力トランスポートストリームはデマルチプレクサ３０に入力される。再生する場合は先の説明と同様にして符号化された撮影データがデマルチプレクサ３０で処理され、その後デコーダ４０でデコードされる。そして、音声が再生されると共に、映像信号は必要に応じてグラフィック処理部５０でＯＳＤ等が重畳されてから表示される。また、記録する場合は、やはり前述の説明と同様に記録再生制御部８０で必要な処理を行ってＨＤＤ１００に記録される。
【００３５】
尚、記録再生制御部８０は、符号化部１５０から出力されデマルチプレクサ３０を経由したトランスポートストリームを記録処理するとともに、チューナ２０で再生されデマルチプレクサ３０で抽出されたトランスポートストリームも同時に記録処理可能な構成とする。これにより、カメラ１３０とマイク１４０により得られた撮影データを符号化部１５０で符号化したトランスポートストリームと、受信した放送信号からチューナ２０で再生したトランスポートストリームとを関連付けてＨＤＤ１００に記録することが出来る。
【００３６】
ここで、制御部１２０は記録制御部８０において記録処理を行う過程でメモリ９０に一旦格納された映像データと音声データを参照・解析し、特徴的なデータを抽出して、抽出した部分に関するデータを管理ファイルとして別途ＨＤＤ１００に記録する。
【００３７】
ここで、特徴的なデータとは、撮影データの特徴的な部分を示すデータを意味し、何をもって特徴とするかは、種々考えられる。例えば、撮影されている人物が突然急な動作をした、あるいは急に声を出した、あるいは所定レベル以上の大きな声を出したなどの場面をその撮影データの特徴的ななものとして抽出する。この場合、制御部１２０は、例えば、カメラ１３０の出力映像信号中に急な動きが発生したことを所定時間に対する映像信号の動きベクトルを解析するなどし、あるいはマイク１４０の出力音声信号の振幅が制御手段の有するメモリ（図示せず）に記憶された所定の閾値を超えたか否かを判定することで、上記の部分を特徴的なデータであると判定する。
【００３８】
図６は、本実施例における管理ファイルの内容構成例を示す図である。制御部１２０は、例えば、図６（ａ）の例に示すように、前記特徴的な部分が記録された管理ファイルに、記録されている放送番組に関する情報、例えば番組データが記録されている先頭領域、タイトル、記録した日時や時間をも記録するよう指示を行う。さらに、制御部１２０は、抽出された特徴的な部分に対応する番組内の時間情報、例えば番組の記録開始から何分後であるか等の情報も記録するように指示を行う。
【００３９】
これにより、記録した撮影データをＨＤＤ１００から再生する際に、記録された番組を特定して同時に再生し、特徴的な部分を容易に特定してすぐに再生することが出来るため、非常に使い勝手がよい。
【００４０】
より具体的にいえば、例えば子供が喜んでいた番組場面はどのようなものであったかの履歴情報を残すことにもなるために、子供側としては大人に成長した後に昔はこんな番組のこういうシーンでこんな表情をしていたのだといった昔の思い出を番組等の１シーンと関連付けて思い返すことができる。一方、親側としては、単に子供の記録だけでなく、子供が何を見て喜ぶのかといったことを容易に把握することができるため、教育の一環として利用することもできる。
【００４１】
なお、図６のような管理ファイルデータを表示部１９０に表示するようにしてもよく、このようにすれば、更なるユーザの使い勝手向上が期待できる。
【００４２】
上述した実施例では、撮影データの特徴データの箇所に対応する番組シーンを関連付けて記録するように構成したが、例えば番組コンテンツのある１シーンを見ているときに、その１シーンのデータとそのときの撮影データとを関連づけて記録するように構成してもよい。
【００４３】
より具体的に説明すると、例えば、制御部１２０は、アニメ番組等でヒーロが悪者をやっつけるといったクライマックスのシーンを抽出するように制御し、その抽出データとそれを見ている子供の表情の画像データ（静止画又は動画）とを関連付けて記録するように制御する。このようにすれば、例えば、所定の番組の１シーンに対する視聴者の反応を伺えることができる。
【００４４】
番組のシーン抽出方法としては、番組のあるシーンからあるシーンまでの移り変わりを画素単位ごとの内積演算等を用いて検出してもよい。また、所定時間における音声信号レベルの平均振幅レベル等を利用して所定のシーンを抽出してもよい。
【００４５】
当然、シーン抽出方法が複数あれば、それをユーザに選択する構成にしてもよい。この場合は、シーン抽出方法選択部（図示しない）を制御部１２０内部あるいは外部に設ける。そして、例えば、情報処理装置に設けられたリモコン等の操作部からユーザの選択指示がなされると、その選択指示信号が制御部１２０に送られ、選択指示信号を受けた制御部１２０は、予めメモリ９０等に記録された複数のシーン抽出方法の中からその選択指示信号が示すシーン抽出方法を選択し、そのシーン抽出方法で当該番組所定シーンを抽出する。これにより、ユーザの記録方法等の選択肢が増えるため使い勝手が向上する。
【００４６】
なお、上述した所定の番組の１シーンを広告ＣＭと捉えても良い。この場合は、ユーザがＣＭを見ているかどうか、さらに、どのような表情でそのＣＭを見ているかどうかも記録できる。この実施例を図６(ｂ)を用いて以下に説明する。
【００４７】
図６（ｂ）は、ユーザがＣＭ（コマーシャル）をどのくらい視聴したかを視聴情報として時間的に示した管理ファイル例である。ユーザがＣＭを見ているか見ていないかは、撮像部であるカメラ１３０により撮像された画像データにより判断する。この場合、例えば、予めユーザの顔や服等の個人データを記録部（例えば、メモリ９０やＨＤＤ１００）に記録しておき、制御部１２０によりカメラ１３０が撮像した画像データと記録された個人データとが比較照合される。
【００４８】
比較照合の手段としては、テレビ等の全体画像領域に含まれるユーザの顔や体の占める割合を計算したりしてもよい。そうした比較照合により求められた所定の値が、所定の判断値を超えれば、制御部１２０は「ユーザは番組コンテンツやＣＭなどを見ている（ユーザ視聴あり）」と判断し、所定の判断値を下回れば、「ユーザは番組コンテンツやＣＭなどを見ていない（ユーザ視聴なし）」と判断する。そして、ユーザ視聴ありと判断された間の時間情報を記録部（例えば、メモリ９０やＨＤＤ１００）に記録する。
【００４９】
これにより、ユーザがＣＭをどのくらい見ているかを容易に記録することができる。さらに、制御部１２０により「ユーザがテレビ画面を見ている」と判断された場合のカメラ１３０による画像データとＣＭ情報とを関連付けて視聴情報として記録しておけば、ユーザがＣＭを見ているかどうかといった画一的な判断のみならず、どのような表情あるいは格好でそのＣＭを見ているかどうかも記録できる。ＣＭ情報としては、広告情報のコンテンツのみならず、広告主、そのＣＭの放送時間帯、そのＣＭに出演している商品や俳優の情報であってもよい。
【００５０】
上述と同様にして、番組の視聴率を測ることができる。図６（ｃ）を用いて説明する。ユーザが所定のチャンネルの所定の番組を見ているか見ていないかの判断は、上述したような判断手法により判断させればよい。この場合、制御部１２０は、「ユーザがテレビ画面を見ている（ユーザ視聴あり）」と判断された場合のカメラ１３０による画像データと所定の番組とを関連付けて視聴情報として記録する。これにより、ユーザが所定の番組を見ているかどうかといった画一的な判断のみならず、どのような表情あるいは格好でその番組を見ているかどうかも記録できる。
【００５１】
また、ユーザがトイレ等でその場を立ち、ＣＭを見飛ばしたり、番組の途中の部分しか見ていない場合も想定される。そうした場合、仮に、１秒しか番組を見ていない場合でもユーザ視聴ありと判断されてしまう。そのため、番組コンテンツ等の視聴実態をより正確に把握するために、所定の時間連続して「ユーザ視聴あり」と判断された場合のみ、あるいは、番組コンテンツの全体時間に占める当該連続視聴時間が所定の時間を越えたと判断された場合のみ、真の「ユーザ視聴あり」と判断するように制御してもよい。
【００５２】
例えば、１０ｍｓごとにユーザの視聴判断を行い（瞬間視聴）、それが番組全体時間の半分以上「ユーザ視聴あり」と判断された場合に、「ユーザ番組視聴」（全体視聴）と判断する。
【００５３】
このように、瞬間視聴状態と全体視聴状態に区別して階層的にユーザの視聴状態を判断する構成にすれば、ユーザの視聴実態の把握の質が向上するメリットがある。
【００５４】
次に、図６のような管理ファイルデータを用いて記録コンテンツを再生する場合について説明する。制御部１２０は、リモコン等からの指示信号を入力すると、記録部（例えば、メモリ９０やＨＤＤ１００）に記録された管理ファイルのデータを参照し、所定の表示形態を表示するように制御する。
【００５５】
図７は、表示形態の一例であり、ユーザのサムネイル表示で表示された選択画面例である。７０１はカメラ１０３により撮像された画像データの一部であり、７０２は番組データの一部である。また、７０３はカーソル等の指示器である。図７(a)（ｂ）のように、撮像データと番組データの最初（もしくは途中や最後）の静止画画面を並べて横または縦に表示すると、そのそれぞれにどういった情報が関連付けされて記録されているかを容易に把握することができ使い勝手がよい。
【００５６】
なお、表示形態としては、種々考えられる。例えば、関連付けされたコンテンツがあることを、図７（ｃ）のようにマーク表示７０４で表示したり、図７（ｄ）のよう影付表示７０５で表示したり、あるいは、図７（ｅ）のように文字表示７０６で表示しても良い。このように、関連付けされたコンテンツがあることを簡単な方法で表示することは処理負担の軽減に繋がる。さらに、マーク等を用いることで表示画面を有効利用できるとともに、感覚的に関連付けされたコンテンツがあることをユーザに通知することができ、使い勝手が向上する。
【実施例２】
【００５７】
図６のような管理ファイルデータは、番組コンテンツ提供者側、例えば、放送局、番組ネット配信事業者（Video on Demand形態）、コンテンツ作成者等にとってみれば、自らの提供するサービスのどういった部分が良くてどういった部分が悪いのかを客観的データとして分析でき、それを基にビジネスの改善が図れるため、非常に貴重な情報となる。
【００５８】
以下、インターネット等を介してこれらの管理ファイルデータを蓄積し、それらを番組コンテンツ提供者に提示するサービスについて図８を用いて説明する。
【００５９】
図８は、サービス全体像を示した図である。個人宅８０１とサービスセンタ８０２と番組コンテンツ提供者８０３とから構成される。個人宅８０１には、前述図１で述べたようなデジタル放送受信可能な記録再生装置１０００（以下、情報処理装置１０００）がある。なお、個人宅８０１は、個人が所有する家を想定しているが、マンションやオフィスであってもよい。
【００６０】
本実施例においては、番組コンテンツ提供者８０３から個人宅へテレビ番組及びそれに付随したＣＭ（コマーシャル）が提供される場合について説明する。
【００６１】
ユーザがテレビ番組やＣＭを見た場合、制御部１２０は、前述したようなユーザ視聴の判断を行い、図６に示すような管理ファイルデータとして記録し、当該記録された管理ファイルデータを、例えば、映像信号出力部６０や音声信号出力部７０、あるいは、管理ファイルデータ出力用の専用の出力手段を介してサービスセンタ８０２に送信するように制御する。
【００６２】
サービスセンタ８０２は、データ入力部８０２１、データ記録部８０２２、データ制御部８０２３及びデータ送信部８０２４を具備しており、それぞれデータバス８０２０によりデータのやり取りが可能である。サービスセンタ８０２は、例えば、高性能・大容量のＰＣ（Personal Computer）が該当する。サービスセンタ８０２は、個人宅８０１から送信される管理ファイルデータ及びそれに対応する映像データ又は音声データは、データ入力部８０２１を介して受信入力される。
【００６３】
そして、データ記録部８０２２に受信した管理ファイルデータ等を記録し、記録された管理ファイルデータ等を送信する。より具体的に言えば、例えば、ユーザが所定のＣＭや番組を見ている場合、データ制御部８０２３は、ユーザがどのＣＭあるいは番組をどれくらい見ているかといったことを示す管理ファイルデータと、その際のＣＭデータや番組データ及びカメラ１３０より入力される映像データやマイク１４０より入力される音声データとをあわせて番組コンテンツ提供者８０３に対して送信するように制御する。なお、個人宅８０１、サービスセンタ８０２及び番組コンテンツ提供者８０３とがやり取りするデータの構造は、例えば、図９(a)のようなものである。
【００６４】
これにより、番組コンテンツ提供者８０３は、提供するサービスに対するユーザの反応に関するデータを容易に入手できる。このことは、番組コンテンツ提供者８０３にとってみれば、提供サービスの長所及び短所をユーザの表情を基に分析できるため、非常に有用な情報となる。そしてそれは、ビジネスの質的改善に大いに資するものとなる。
【００６５】
なお、上述した実施例では、管理ファイルデータと、その際のＣＭデータや番組データ及び撮像信号とをあわせて送信するように構成したが、これだと多大なデータ量のため伝送負担や処理負担が予想外に大きくなり、情報処理装置１０００のパフォーマンスに多大な影響を及ぼす恐れがある。また、それらデータを受信するサービスセンタ８０２側にも負荷がかかる恐れがある。
【００６６】
そのため、情報処理装置１０００側でカメラ１３０やマイク１４０からの撮影データを用いてユーザの視聴状態を判断し、当該判断結果をサービスセンタ８０２等に送信するように構成すれば、その処理負担等は激減する。
【００６７】
具体的には、情報処理装置１０００の制御部１２０は、カメラ１３０より入力された映像やマイク１４０より入力された音声を解析して、例えば、笑顔が多いと判断すれば、ユーザは本コンテンツを「興味あり」、また、無表情で時々席を立ったり、チャンネルを変えたりする場合は「無関心」等と判断して、その分析結果をユーザ状態判断データとして送信する。このユーザ状態判断データはテキストデータとなるため、データ量は比較的少なくて済むメリットがある。なお、個人宅８０１、サービスセンタ８０２及び番組コンテンツ提供者８０３とがやり取りするデータの構造は、例えば、図９(b)のようなものである。
【００６８】
以上のように、管理ファイルデータと前述したユーザ状態判断データとを送信する構成にしたことにより、管理ファイルデータとそれに対応するＣＭデータや番組データ及び撮像信号とをあわせて送信する場合に比べて、伝送負担や処理負担を飛躍的に軽減することができる。これは、それらデータを受信するサービスセンタ８０２側に対しても同様の効果が期待できる。
【００６９】
なお、サービスセンタ８０２は、処理効率を図るために、個人宅８０１から送信される管理ファイルデータをそのまま番組コンテンツ提供者８０３に送信するようにしてもよい。しかし、サービスセンタ８０２の付加価値を高めるために、サービスセンタ８０２は、受信した管理ファイルデータを番組コンテンツ提供者８０３側にとって利用価値のあるものに加工編集するようにしてもよい。
【００７０】
例えば、サービスセンタ８０２は、多くの個人宅８０１から集められた管理ファイルデータを用いてユーザ嗜好傾向等を分析し、その分析データを付加して送信するようにしてもよい。
【００７１】
この場合、データ制御部８０２３は、受信した管理ファイルデータを基にユーザの嗜好傾向を分析し、当該分析データをデータ記録部８０２２に記録するように制御する。そして、データ制御部８０２３は、所定の送信指示により、記録された分析データと管理ファイルデータとをデータ送信部８０２４を介して番組コンテンツ提供者８０３に送信するように制御する。
【００７２】
さらに、サービスセンタ８０２は、分析データを送信するとともに当該分析データ作成コストを課金データとして分析データに付加して番組コンテンツ提供者８０３に送信する。当該分析データ（商品）と課金データ（代金）とをあわせて送付することでサービスセンタ８０２にとってみれば、課金処理の効率化を図れる。番組コンテンツ提供者８０３にしても、当該分析データ（商品）と課金データ（代金）とをあわせて送付されるため商品と代金との関係が容易に把握できる。やり取りするデータの構造としては、例えば、図９(c)のようなものである。
【００７３】
また、番組コンテンツ提供者８０３が、分析データ（商品）の評価をサービスセンタ８０２に返信するようにすれば、サービスセンタ８０２にとって自らの提供するサービス（ユーザ視聴動向分析等）の評価を容易に知ることができ、ビジネス改善に大いに貢献する。
【００７４】
また、ユーザにとってみれば、自分のテレビを見ている姿等を第3者に利用されるということは好ましくないと感じる人もいると思われる。そのため、そのインセンティブを与える意味でサービスセンタ８０２あるいは番組コンテンツ提供者８０３は、図６のような管理ファイルデータを提供してくれたユーザに対して何らかの特典を設けるようにしてもよい。特典としては、とっておき情報、現金、電化製品や車等の景品、所定のポイント等であり、それらの情報が特典データとして付加されてサービスセンタ８０２又は番組コンテンツ提供者８０３から個人宅８０１へ送信される。この場合、特典データを受信した個人宅８０１の情報処理装置１０００の制御部１２０は、当該特典データを表示再生部１９０に表示してユーザに通知する。やり取りするデータ構造例としては、例えば、図９(d)のようなものである。
【００７５】
以上により、ユーザは、自らの視聴状態（表情等）をサービスセンタ８０２等に送信する代わりに、種々の特典を受けることができる。
【００７６】
また、特典データが所定のクーポン等の場合は、例えば、クーポン10個集めてひとつの商品と引き換えする等の状況が想定されるため、制御部１２０は、受信した特典データを記録部（例えば、メモリ９０やＨＤＤ１００）に特典データの履歴情報として記録するように制御する。このように、特典データの内容に応じて記録するか否かの処理を切り換えるようにすれば、処理効率は向上する。
【００７７】
なお、上述では、サービスセンタ８０２の１サービス例として、番組コンテンツ提供者８０３の要望に従って、ユーザ視聴動向を分析して提供するサービスについて説明したが、個人宅８０１より受信した管理ファイルデータを用いてさえいればよく、上述に限定するものではない。
【００７８】
また、情報処理装置１０００からサービスセンタ８０２への送信指示は、管理ファイルデータ記録終了時に自動的に行われるように制御すれば、サービスセンタ８０２へは最新の情報が送られることになり、サービスセンタ８０２を用いてサービスを行うサービス業者には常に最新の情報を把握することができる。
【００７９】
なお、例えば、1月に１回といったように、所定期間蓄積された管理ファイルデータをまとめてサービスセンタ８０２に送信するように制御してもよいというのは言うまでもない。この場合、情報処理装置１０００の制御部１２０は、記録部（例えば、メモリ９０やＨＤＤ１００）に記録された送信スケジュールデータに基づいて送信処理を行う。
【００８０】
また、上記ではユーザの情報処理装置１０００からの送信情報はサービスセンタ８０２を有する業者が受け取り番組コンテンツ提供者８０３に送信する例を示しているが、これに限定するものではない。例えば、番組コンテンツ提供者８０３が直接データを受け取り利用するように構成しても良い。その場合は、サービス事業者は不要で情報処理装置１０００から直接番組コンテンツ提供者８０３にデータが転送される。
【００８１】
この場合、送信先を特定するデータは、番組コンテンツを受信する際の受信データに含まれており、情報処理装置１０００が放送電波等から当該特定データを取得し、制御部１２０が送信先を決定するように制御する。送信方法として、インターネット経由やモデムを用いて電話線経由で送信しても良い。
【００８２】
デマルチプレクサ３０とデコーダ４０とは、２つのトランスポートストリームを同時に処理する能力を有するものであり、例えば、図１０（a）〜（c）に示すように２画面並列表示を行ったり、あるいは撮影データを主画面とし放送番組を子画面とする２画面表示を行うことが出来る。
【００８３】
これにより、例えば子供の成長記録を、従来のビデオカメラで子供だけを対象にして撮影するのとはまた違った魅力ある記録として残すことが出来るため使い勝手がよい。
【００８４】
尚、上記の説明では撮影データと放送番組を単純に２画面表示する例を示したが、これに限定するものではない。例えば、特徴的な部分が特定できることからその部分に何らかの表示処理を施すこともできる。より具体的には、再生画面が特徴的な部分になったら、図９（ｃ）に示すように再生された撮影データを拡大表示して人物の表情が良く分かるようにするなどの処理を行うことができる。
【００８５】
尚、上記の説明においては、記録再生制御部８０に接続されたメモリ９０の一時格納データを参照して特徴的な場面の抽出を行う例を示したが、符号化部１５０においてアナログ信号を符号化する際の処理内容を参照して特徴を抽出するようにしても良い。この場合であっても上記の説明と同様に撮影データの特徴的な部分を抽出することができ、同様の効果を得ることが出来るのは言うまでも無い。
【００８６】
また、上記では、２画面表示を想定したが、これに限定するものではない。例えば、カメラ１３０の撮像映像とチューナ２０からの放送映像とが嵌め込まれるように表示されてもよい。例えば、アニメ番組を視聴している子供の顔をアニメ番組の例えばヒーロの顔と摩り替えて表示するようにしてもよい。この場合、制御部１２０は、ユーザ等からカメラ１３０の撮像映像とチューナ２０からの放送映像との嵌め込み指示を示す指示信号が入力された場合に、カメラ１３０により撮像された子供の画像データから顔部分に該当するデータ（以下、カメラ入力顔面データ）を抽出して記憶しておく。一方、記録されたアニメ番組の映像からもヒーロの顔部分に関するデータ（以下、放送入力顔面データ）を抽出して記憶しておく。この場合の方法としては、例えば、予めアニメヒーロ及びその顔部分の表示位置を示すデータを予め記録しておき、ヒーロが登場した場合にその位置データに基づいて抽出し削除する方法などが考えられる。そして、その抽出削除された部分に記憶されたカメラ入力顔面データが表示される。
【００８７】
以上により、カメラ１３０の撮像映像とチューナ２０からの放送映像とを嵌め込むことができるため、ユーザの使い勝手は飛躍的に向上する。例えば、ゴルフの指導番組等において、指導先生のそばに、テレビの前でリアルタイムにゴルフ運動している自分の姿を表示させることにより、臨場感のあるゴルフ練習なども行うことができる。また、それらの履歴を記録しておけば、復習などもでき非常に好ましい。
【００８８】
なお、カメラ入力顔面データ放送や入力顔面データは、図６の管理ファイルデータのように関連付けるように記録しておけば、それ以降同じ処理をする場合でも容易に対応付けることが可能なので非常に効率的である。
【００８９】
また、撮影データの処理方法に関し、上記で説明した動作を行わせるか否かを制御可能としても良い。この場合は、例えば図示しないリモコンから制御部１２０に入力される指示によって特徴的な場面の抽出を行わないように制御すればよい。
【００９０】
これにより、例えば記録された撮影データを再生する時に上記で説明した動作を行わせず、単純に記録された撮影データだけを再生して視聴することもできる。更には撮影データを記録する際に特徴的な部分の抽出を行わせず、従って特徴を記録する管理ファイルの作成も行わないようにすることももちろん可能である。以上により、処理効率化を図れるとともに使い勝手も向上する。
【００９１】
尚、上記のようにしてＨＤＤ１００に撮影した場面と番組を次々に記録して容量を使い切ってしまうと、それ以上記録できなくなってしまう。このような場合、図１に示す出力部８００から、記録した撮影場面と記録した番組とこれらを関連付けた管理ファイルとを出力して外部記録媒体２００に記録するようにすれば良い。この際、外部記録媒体への記録指示信号を受信した制御部１２０は、接続された外部記録媒体への記録指示を行う。これにより大事な記録を保存しておくことが出来る。
【００９２】
上記の説明においては、デジタル放送受信記録再生装置にカメラ１３０とマイク１４０が一体構成として備えられている構成について説明した。しかし、本発明はこれに限定するものではなく、例えば、符号化部の入力には映像信号入力部と音声信号入力部だけが接続された構成であっても良い。より具体的には、市販のビデオカメラの映像出力と音声出力とを接続する場合を想定する。これ以外の構成は図１と同様であり、符号化部１５０で符号化した撮影データの特徴を制御部１２０で抽出しすることによって図１を用いた説明と同様の処理を行わせることができる。
【００９３】
このような構成にすることで、カメラ１３０やマイク１４０を予め備える必要は無いことから、装置の構成を簡略化することができ、回路規模やコストを低減することが出来る。
【００９４】
尚、映像信号入力部と音声信号入力部はコストや接続性の観点から汎用の接続端子を用いることが想定されるが、この場合接続可能な端子を有する映像・音声信号出力機器であれば何でも接続可能である。すわなち、例えばＤＶＤ（Digirtal Versatile Disc）再生装置を接続して市販の映画タイトルなどを再生した信号を入力することも可能である。
【００９５】
しかし、このような市販の映画タイトルなどは一般に著作権保護の点から他の機器での記録が禁止されているものが多い。このように他の機器で記録禁止された映像信号は記録禁止を意味する情報が含まれている。そこで、図１０においては符号化部１５０あるいは制御部１２０等でこの記録禁止を意味する情報を抽出して記録が禁止されている場合はＨＤＤ１００に記録しないように制御するものとする。これにより、著作権保護の実効を図ることができる。
【００９６】
尚、上述の実施例では、アナログ形式の映像信号と音声信号を映像信号入力部と音声信号入力部から入力し、符号化部１５０で符号化して処理する例を示したが、最初から多重化されたストリームとして入力する構成であっても良い。この場合、映像・音声が多重されたストリームを入力するストリーム入力部を設ける。ストリーム入力部から入力されたストリームは直接デマルチプレクサ３０に入力される。以降の動作および処理内容は上述の説明で行ったのと同様である。
【００９７】
これにより、符号化部１５０を備える必要がなく、更に構成を簡略化しコストを低減することが出来る。
【実施例３】
【００９８】
上記の実施例においては、デジタル放送受信機とカメラ及びマイクを組み合わせた例を示したが、図１２に示すように２台のカメラを用いた構成としても良い。図１２は、自動車に搭載されたカメラの映像と、家庭用ビデオカメラで撮影した映像信号及び音声信号を関連付けて記録する場合の構成を示すものである。
【００９９】
本実施例において、２００は自動車に搭載されたカメラであり、例えば自動車の前方の景色を撮影するためのものである。制御部１２０は、前記車載カメラ２００が撮影した映像信号を記録再生制御部８０で処理する過程で予め設定された特徴的な場面が撮影されていると判断したら、図示しないビデオカメラが接続された映像信号入力部１３１の入力映像信号と音声信号入力部１４０の入力音声信号を、カメラ２００の映像と共に記録するように制御する。より具体的には、例えば車が高速道路を走行中に、緑地に白文字の特徴を有する標識が撮影されたと判定したら、車内の様子を撮影しているカメラ１３０の入力映像信号とマイク１４０の入力音声信号を、カメラ２００の映像と共に記録を開始するように制御するものである。これにより、車での旅行のシーンを効率よく記録することが出来、ユーザにとって使い勝手がよい。
【０１００】
尚、上述の実施例においては、ビデオカメラを映像信号入力部と音声信号入力部に接続するものとして説明したが、映像信号と音声信号は有線で接続する必要は無く、赤外線や電波などの無線方式で伝送しても良い。これにより、ユーザは煩わしい配線を使わずにより快適に利用することが出来る。
【０１０１】
なお、上述した情報処理装置の例としては、例えば、撮像機能を有したテレビや携帯電話やＰＤＡやＰＣ等が該当するが、撮像機能を有していればよく、これらに限定するものではない。
【０１０２】
また、上記実施例に限らず，その要旨を逸脱しない範囲内で種々変形して実施することが可能であり、上記実施例を適宜組み合わせることも可能である。
【図面の簡単な説明】
【０１０３】
【図１】情報処理装置の１構成を示す図である。
【図２】入力信号の例を示す図である。
【図３】処理信号の例を示す図である。
【図４】記録再生制御部の構成例を示す図である。
【図５】処理信号例を示す図である。
【図６】管理ファイルの内容構成例を示す図である。
【図７】再生時の表示画面の例を示す図である。
【図８】管理ファイルを用いたサービス形態を表す図である。
【図９】管理ファイルを用いたサービス形態においてやりとりされるデータ例を示す図である。
【図１０】再生時の表示画面の例を示す図である。
【図１１】情報処理装置の構成ブロック例図である。
【符号の説明】
【０１０４】
１０・・・アンテナ 
２０・・・チューナ
３０・・・デマルチプレクサ
４０・・・デコーダ
５０・・・グラフィック処理部
６０・・・映像信号出力部
７０・・・音声信号出力部
８０・・・記録再生制御部
９０・・・メモリ 
１００・・・ＨＤＤ
１１０・・・コマンド入力部
１２０・・・制御部
１３０・・・カメラ
１４０・・・マイク
１５０・・・符号化部
１６０、１６１・・・制御バス
２００・・・車載カメラ
８０１・・・個人宅
８０２・・・サービスセンタ
８０３・・・番組コンテンツ提供者
８０２１・・・データ入力部
８０２２・・・データ記録部
８０２３・・・データ制御部
８０２４・・・データ出力部
１０００・・・情報処理装置
１０１０・・・ストリーム入出力手段
１０２０・・・タイムスタンプ処理手段
１０３０・・・暗号処理手段
１０４０・・・ＡＴＡインターフェース
【図１】
0004548297.tif 000002
【図２】
0004548297.tif 000003
【図３】
0004548297.tif 000004
【図４】
0004548297.tif 000005
【図５】
0004548297.tif 000006
【図６】
0004548297.tif 000007
【図７】
0004548297.tif 000008
【図８】
0004548297.tif 000009
【図９】
0004548297.tif 000010
【図１０】
0004548297.tif 000011
【図１１】
0004548297.tif 000012